(57)【要約】  実施形態に係る風力発電用マトリクスコンバータ装置は、マトリクスコンバータと制御部とを備える。マトリクスコンバータは、風力によって回転する風車の回転力により発電機で発電された電力を、フルコンバートして電力系統に供給するように制御部によって制御される。
2012111416.tif 000002
【特許請求の範囲】
【請求項１】
風力によって回転する風車の回転力により発電機で発電された電力を、フルコンバートして電力系統に供給するマトリクスコンバータと、
前記マトリクスコンバータを制御する制御部と
を備えることを特徴とする風力発電用マトリクスコンバータ装置。
【請求項２】
前記制御部は、
前記電力系統の電圧または前記発電機の電圧から前記電力系統の電圧位相の情報または前記発電機の電圧位相の情報を生成する電圧位相生成部と、
前記電力系統側の力率を設定する力率設定部と、
前記力率設定部によって設定された力率に、前記電圧位相の情報を加算して、電流位相の情報を生成する力率制御部と、を備え、
前記制御部は、前記電流位相の情報に基づいて前記マトリクスコンバータを制御する制御信号を生成する
ことを特徴とする請求項１に記載の風力発電用マトリクスコンバータ装置。
【請求項３】
前記制御部は、
前記電力系統が停電であるかどうかを検出する停電検出部と、
前記電力系統と前記マトリクスコンバータとの間に流れる電流の値および前記電力系統の電圧の値の２つの電力系統側の状態量、および、前記発電機と前記マトリクスコンバータとの間に流れる電流の値および前記発電機の電圧の値の２つの発電機側の状態量のうちの三つ以上の状態量を取得する状態量取得部と、
前記停電検出部による検出結果に基づき、前記状態量取得部で取得される三つ以上の状態量のうち前記電力系統側の状態量と前記発電機側の状態量との組み合わせを切り替える状態量切替部と、を備え、
前記制御部は、前記状態量切替部の出力に基づき前記マトリクスコンバータを制御する制御信号を生成する
ことを特徴とする請求項２に記載の風力発電用マトリクスコンバータ装置。
【請求項４】
前記状態量切替部は、前記停電検出部によって前記電力系統の停電が検出されない場合に前記電力系統の電圧の値を電圧検出値として前記電圧位相生成部へ出力し、前記停電検出部によって前記電力系統の停電が検出された場合に前記発電機の電圧の値を電圧検出値として前記電圧位相生成部へ出力し、
前記電圧位相生成部は、前記電圧検出値から前記電圧位相の情報を生成し、
前記力率制御部は、前記停電検出部によって前記電力系統の停電が検出された場合、前記力率設定部に設定された力率に代えて停電時力率を演算し、当該停電時力率を前記電圧位相の情報に加算して、前記電流位相の情報を生成する
ことを特徴とする請求項３に記載の風力発電用マトリクスコンバータ装置。
【請求項５】
前記状態量切替部は、前記停電検出部によって前記電力系統の停電が検出されない場合に前記発電機と前記マトリクスコンバータとの間に流れる電流の値を検出電流値として出力し、前記停電検出部によって前記電力系統の停電が検出された場合に前記電力系統と前記マトリクスコンバータとの間に流れる電流の値を検出電流値として出力し、
前記制御部は、前記状態量切替部から出力される前記検出電流値に基づいて前記マトリクスコンバータを制御する制御信号を生成する
ことを特徴とする請求項３に記載の風力発電用マトリクスコンバータ装置。
【請求項６】
前記マトリクスコンバータは、
前記発電機の各相毎に直列接続されて複数設けられ、各々双方向の電力変換を行う単相マトリクスコンバータと、
複数の前記単相マトリクスコンバータから出力される電力を、各々絶縁しつつ結合させる結合部と、
を有し、
前記結合部は、
結合させた前記電力の電圧を、前記電力系統側に有する巻線により該電力系統の電圧へと昇圧させることを特徴とする請求項１乃至５のいずれか１項に記載の風力発電用マトリクスコンバータ装置。
【請求項７】
前記マトリクスコンバータは、
マトリクスコンバータを複数並列に接続した並列多重電力変換器であることを特徴とする請求項１乃至５のいずれか１項に記載の風力発電用マトリクスコンバータ装置。
【請求項８】
前記単相マトリクスコンバータは、
サージ電圧を直流電圧へ変換して蓄積し、当該蓄積した直流電圧を放電するスナバ回路を備え、
前記制御部は、
前記発電機の回転速度または前記発電機の発電電圧に基づいて、前記スナバ回路に対して前記直流電圧の放電を指令する放電指令を出力する放電指令部を備えたことを特徴とする請求項６に記載の風力発電用マトリクスコンバータ装置。
【請求項９】
蓄電池を有し、所定条件を満たす場合に前記蓄電池から前記制御部へ電力を供給する無停電電源を備え、
前記蓄電池は前記スナバ回路の直流電圧により充電されることを特徴とする請求項８に記載の風力発電用マトリクスコンバータ装置。
【請求項１０】
無停電電源と、
前記無停電電源から出力される電圧と前記発電機から出力される電圧とを切替信号に応じて切り替えて前記制御部を動作させるための電圧として出力する切替器と、
前記発電機の発電電圧に基づいて、前記切替器へ前記切替信号を出力する電源切替部と
を備えたことを特徴とする請求項１乃至５のいずれか１項に記載の風力発電用マトリクスコンバータ装置。
【請求項１１】
前記制御部は、
前記電力系統の電圧波形を所定周期分記憶する系統電圧波形記憶部を備え、
前記発電機から前記電力系統への電力変換を前記マトリクスコンバータに行わせている途中で、前記電力系統の停電が検出された場合、前記系統電圧波形記憶部に記憶された電圧波形に基づいて前記マトリクスコンバータを制御して、前記発電機から前記電力系統への電力変換を継続させる請求項１乃至５のいずれか１項に記載の風力発電用マトリクスコンバータ装置。
【請求項１２】
前記制御部は、
前記発電機を電動機として使用して前記風車の回転位置を制御するように前記マトリクスコンバータを制御することを特徴とする請求項１乃至５のいずれか１項に記載の風力発電用マトリクスコンバータ装置。
【請求項１３】
前記制御部は、
前記風車の回転位置を保持させるように、前記マトリクスコンバータが有する複数のスイッチのオンオフを制御することを特徴とする請求項１２に記載の風力発電用マトリクスコンバータ装置。
【請求項１４】
風力によって回転する風車の回転力により発電機で発電された電力を、フルコンバートして電力系統に供給するマトリクスコンバータと、
前記マトリクスコンバータを制御する制御部と
を備えることを特徴とする風力発電装置。
【請求項１５】
複数の風力発電装置を備えたウィンドファームであって、
前記風力発電装置は、
風力によって回転する風車の回転力により発電機で発電された電力を、フルコンバートして電力系統に供給するマトリクスコンバータと、前記マトリクスコンバータを制御する制御部とを備えることを特徴とするウィンドファーム。
【請求項１６】
請求項１４または１５に記載の風力発電装置における風車の製造方法であって、
位置検出器によって前記風力発電装置の風車の回転位置を検出し、
前記検出された前記風車の回転位置と指定された目標位置との差を検出し、
前記発電機を電動機として使用して、前記検出された前記風車の回転位置と前記目標位置との差に基づき、前記風車の回転位置を前記目標位置に一致させ、
回転位置を前記目標位置に一致させた前記風車にブレードを取り付ける
ことを特徴とする風車の製造方法。
【発明の詳細な説明】
【技術分野】
【０００１】
開示の実施形態は、風力発電用マトリクスコンバータ装置、風力発電装置、ウィンドファームおよび風車の製造方法に関する。
【背景技術】
【０００２】
風力発電装置は、一般に、風車と発電機とを備えており、風車が風力を受けて回転する機械エネルギーを発電機によって電気エネルギーへ変換する。【０００３】
風力発電装置にて発電機から出力される電気エネルギーは、電力変換装置を介して電力系統に供給される。この電力変換装置としては、発電機からの交流電力を直流電力に変換するコンバータとこのコンバータからの直流電力を交流電力に変換するインバータとを組み合せたものが使用されていた（例えば、特許文献１参照）。
【先行技術文献】
【特許文献】
【０００４】
【特許文献１】特開２００７−１２４７７９公報
【発明の概要】
【発明が解決しようとする課題】
【０００５】
しかしながら、従来の風力発電用電力変換装置では、風の力が弱く、発電機が低速で回転するような場合、内部の一つあるいはいくつかのスイッチング素子に連続して長い時間電流が流れる電流集中が起こる。この電流集中に対応するため、従来の風力発電用電力変換装置では、スイッチング素子の容量を大きくしないといけなくなるといった問題があった。【０００６】
実施形態の一態様は、上記に鑑みてなされたものであって、スイッチング素子の容量を抑えることができる風力発電用電力変換装置、風力発電装置、ウィンドファームおよび風車の製造方法を提供することを目的とする。
【課題を解決するための手段】
【０００７】
実施形態の一態様に係る風力発電用マトリクスコンバータ装置は、マトリクスコンバータと制御部とを備える。前記マトリクスコンバータは、風力によって回転する風車の回転力により発電機で発電された電力を、フルコンバートして電力系統に供給するように制御部によって制御される。
【発明の効果】
【０００８】
実施形態の一態様に係る風力発電用マトリクスコンバータ装置によれば、スイッチング素子の容量を抑えることができる。
【図面の簡単な説明】
【０００９】
【図１】図１は、第１の実施形態に係る風力発電装置の構成を示す図である。
【図２Ａ】図２Ａは、第１の実施形態に係る風力発電部のブレード取り付け手順を示す図である。
【図２Ｂ】図２Ｂは、第１の実施形態に係る風力発電部のブレード取り付け手順を示す図である。
【図２Ｃ】図２Ｃは、第１の実施形態に係る風力発電部のブレード取り付け手順を示す図である。
【図３】図３は、第１の実施形態に係る風力発電装置のブロック図である。
【図４】図４は、第１の実施形態に係るマトリクスコンバータの構成を示すブロック図である。
【図５】図５は、並列接続により電流定格を増加させた直列多重マトリクスコンバータの構成を示す図である。
【図６】図６は、図４に示す単相マトリクスコンバータの構成の一例を示す図である。
【図７】図７は、力率制御部の構成の一例を示す図である。
【図８】図８は、制御信号発生部によるマトリクスコンバータの制御例を説明する図である。
【図９】図９は、第１の実施形態に係る風力発電装置の他のブロック図である。
【図１０】図１０は、停電時制御の手順を示す図である。
【図１１】図１１は、位置制御部の構成の一例を示す図である。
【図１２】図１２は、放電指令部の構成の一例を示す図である。
【図１３】図１３は、電源切替部の構成の一例を示す図である。
【図１４】図１４は、図１３に示す電圧切替指令部の構成の一例を示す図である。
【図１５】図１５は、第２の実施形態に係るウィンドファームの構成を示す図である。
【発明を実施するための形態】
【００１０】
以下に、本願の開示する風力発電用マトリクスコンバータ装置、風力発電装置、ウィンドファームおよび風車の製造方法の実施形態を図面に基づいて詳細に説明する。なお、これらの実施形態によりこの発明が限定されるものではない。
【００１１】
（第１の実施形態）
図１は、第１の実施形態に係る風力発電装置の構成を示す図である。図１に示すように、第１の実施形態に係る風力発電装置１は、風力発電部１０と、風力発電用マトリクスコンバータ装置２０とを備え、電力系統３０へ電力を供給する。なお、説明を分かり易くするために、図１では一部の構成を図示していない。かかる不図示の構成については、図３等を参照して説明する。
【００１２】
風力発電部１０は、塔体１１、ナセル１２およびロータ１３を有する風車１４を備える。ナセル１２は、塔体１１に回転自在に支持される。また、ロータ１３は、ロータハブ１３ａと、ロータハブ１３ａの異なる位置に取り付けられる複数のブレード１３ｂとを備える。
【００１３】
かかる風車１４のナセル１２内には、シャフト１７を介してロータ１３に接続された発電機１５が収納されている。発電機１５は、電動機としても用いることができる回転電機であり、例えば、永久磁石タイプの回転電機である。
【００１４】
また、ナセル１２内には、風力によって回転する風車１４の回転位置を検出する位置検出器１６が収納されている。この位置検出器１６は、例えば、シャフト１７の回転位置を検出することによって風車１４の回転位置を検出する。
【００１５】
一方、風力発電用マトリクスコンバータ装置２０は、風力発電用の電力変換装置であり、マトリクスコンバータ２１と、制御部２２と、無停電電源（以下、ＵＰＳと記載する）２３と、操作部２４とを備える。かかる風力発電用マトリクスコンバータ装置２０は、塔体１１内に配置される。電力系統３０の電圧が発電機１５の電圧よりも高い場合、発電機１５とマトリクスコンバータ２１との間の電力伝達用ケーブルに流れる電流よりも、マトリクスコンバータ２１と電力系統３０の間の電力伝達用ケーブルを流れる電流が小さい。そのため、風力発電装置１では、塔体１１外へ引き出されるケーブルの径を小さくすることができる。
【００１６】
マトリクスコンバータ２１は、風力発電部１０の発電機１５と電力系統３０との間で電力を双方向にフルコンバートする電力変換部である。かかるマトリクスコンバータ２１は、ＤＦＩＧ（二重給電誘導発電機）タイプのように、電力系統に直接接続された発電機の出力の周波数のみを調整するものではない。すなわち、マトリクスコンバータ２１は、発電機１５と電力系統３０との間に介在して、発電機１５と電力系統３０との間で双方向に電力変換を行うものである。
【００１７】
制御部２２は、マトリクスコンバータ２１へ制御信号を出力して、発電機１５と電力系統３０との間で双方向の電力変換を行わせる。かかる制御部２２は、例えば、操作部２４への操作に基づいてマトリクスコンバータ２１へ制御信号を出力し、発電制御処理や風車位置制御処理をマトリクスコンバータ２１に実行させる。
【００１８】
操作部２４への操作によって発電制御処理が選択された場合、制御部２２は発電制御処理を実行し、操作部２４への操作によって風車位置制御処理が選択された場合、制御部２２は風車位置制御処理を実行する。発電制御処理は、発電機１５から出力された電力を電力系統３０に応じた電力へ変換して電力系統３０へ出力する処理である。また、風車位置制御処理は、電力系統３０から出力される電力を変換して発電機１５へ供給して発電機１５を電動機として動作させる処理である。
【００１９】
風車位置制御処理は、ロータハブ１３ａにブレード１３ｂを取り付ける場合、ロータハブ１３ａからブレード１３ｂを取り外す場合、およびブレード１３ｂの点検やメンテナンスを行う場合などに実行される処理である。制御部２２は、風車位置制御処理を実行することで、例えば、操作部２４への操作によって指定された目標位置に風車の回転位置を一致させる。
【００２０】
目標位置の情報は、ブレード１３ｂの取り付けや取り外しが容易な位置としてブレード１３ｂ毎に、予め制御部２２内に設定されており、操作部２４への操作によって選択される。なお、操作部２４への操作によって入力される位置情報を目標位置とすることで、任意の目標位置を設定することもできる。
【００２１】
制御部２２は、位置検出器１６によって検出された風車１４の回転位置の情報（以下、「位置検出値」と記載する）と操作部２４への操作によって指定された目標位置とに基づき、風車１４の回転位置を目標位置に一致させるように制御信号を生成する。制御部２２は、生成した制御信号をマトリクスコンバータ２１へ出力する。
【００２２】
ここで、風力発電部１０におけるブレード１３ｂの取り付け方法について説明する。図２は、風力発電部１０におけるブレード１３ｂの取り付け手順を示す図である。なお、図２は、一つのブレード１３ｂ１を取り付けたロータハブ１３ａに次のブレード１３ｂ２を取り付ける場合の手順を示しているが、いずれのブレード１３ｂの取り付けも同様に行うことができる。
【００２３】
図２Ａに示す状態において、作業者が操作部２４を操作して、風車位置制御処理を指定し、ロータハブ１３ａへ取り付けるブレードとしてブレード１３ｂ２（図２Ｃ参照）を選択する。これによって、制御部２２においてブレード１３ｂ２の取り付けを行うための目標位置が指定される。位置検出器１６は、風車１４の回転位置を検出しており、かかる検出結果が位置検出器１６から制御部２２へ入力される。
【００２４】
制御部２２は、位置検出器１６によって検出された風車１４の回転位置と操作部２４によって指定された目標位置との差を検出する。そして、風車１４の回転位置と目標位置との差に基づき、風車１４の回転位置を目標位置と一致させる制御信号を生成してマトリクスコンバータ２１へ入力する。これによって、図２Ｂに示すように、風車１４の回転位置が目標位置へと変化してゆき、最後に風車１４は目標位置に停止する。
【００２５】
さらに目標位置を変更しなければ、マトリクスコンバータ２１は風車１４の回転位置を目標位置と一致させる制御信号の出力を継続し、結果として風車１４は、回転位置での停止を継続する。その後、図２Ｃに示すように、停止させた風車１４にブレード１３ｂ２を取り付ける。風車１４が目標位置での停止を継続することにより静止することで、ロータハブ１３ａへのブレード１３ｂ２の取り付けを容易にしている。
【００２６】
なお、上述においては、ブレード１３ｂの風車１４への取り付け手順について説明したが、制御部２２は、ブレード１３ｂの風車１４からの取り外しについても、風車１４の回転位置を目標位置に一致させることができる。これにより、風車１４を目標位置に静止させることができ、ブレード１３ｂの取り外しを取り付けと同様に容易に行うことができる。
【００２７】
このように、第１の実施形態に係る風力発電用マトリクスコンバータ装置２０では、風力発電部１０の発電機１５と電力系統３０との間で電力を双方向にフルコンバートすることができる。さらに、風力発電用マトリクスコンバータ装置２０は、発電機１５を電動機として使用して風車１４の回転位置を制御するようにマトリクスコンバータ２１を制御する風車位置制御処理によって、風車１４の回転位置を目標位置に一致させることができる。これにより、風車１４の組立作業や保守作業などを容易に行うことができる。
【００２８】
なお、上述においては、位置検出器１６によって風車１４の回転位置を検出することとしているが、風車１４の回転位置の検出は、位置検出器１６に限定されるものではない。例えば、発電機１５の回転速度を検出するロータリエンコーダなどの速度検出器から出力される速度検出値を積分した回転検出値を風車１４の回転位置として検出するようにしてもよい。
【００２９】
［風力発電装置１の構成］
以下、第１の実施形態に係る風力発電装置１の構成について、図面を用いてさらに具体的に説明する。図３は第１の実施形態に係る風力発電装置１のブロック図である。
【００３０】
図３に示すように、風力発電装置１は、風力発電部１０と、風力発電用マトリクスコンバータ装置２０とを備える。風力発電部１０は、上述した発電機１５および位置検出器１６に加え、速度検出器１８を備える。速度検出器１８は、発電機１５の回転速度を検出し、検出した回転速度の値を速度検出値として風力発電用マトリクスコンバータ装置２０へ出力する。
【００３１】
風力発電用マトリクスコンバータ装置２０は、発電機電流検出器１９、上述したマトリクスコンバータ２１、制御部２２、ＵＰＳ２３および操作部２４を備える。制御部２２は、風力発電部１０の発電機１５によって発電される電力によって動作するが、発電機１５によって電力を得ることができないような場合には、後述するように、ＵＰＳ２３から電力の供給を受けて動作する。
【００３２】
発電機電流検出器１９は、マトリクスコンバータ２１と発電機１５の間に流れる電流を検出し、検出した電流の瞬時値を発電機電流検出値として風力発電用マトリクスコンバータ装置２０へ出力する。なお、発電機電流検出器１９として、例えば、磁電変換素子であるホール素子を利用して電流を検出する電流センサを用いることができる。
【００３３】
マトリクスコンバータ２１は、発電機１５と電力系統３０との間で電力を双方向にフルコンバートすることができるように構成される。図４はマトリクスコンバータ２１の構成を示すブロック図である。
【００３４】
図４に示すように、マトリクスコンバータ２１は、Ｒ相ユニット４１ａと、Ｓ相ユニット４１ｂと、Ｔ相ユニット４１ｃと、三相変圧器４２とを備える直列多重マトリクスコンバータである。Ｒ相ユニット４１ａは、発電機１５のＲ相と中性点Ｎとの間に接続され、Ｓ相ユニット４１ｂは、発電機１５のＳ相と中性点Ｎとの間に接続され、Ｔ相ユニット４１ｃは、発電機１５のＴ相と中性点Ｎとの間に接続される。
【００３５】
各ユニット４１ａ〜４１ｃは、それぞれ複数の単相マトリクスコンバータ４３ａ〜４３ｃを直列に接続した接続体である。具体的には、単相マトリクスコンバータ４３ａの端子ａは発電機１５に接続され、単相マトリクスコンバータ４３ａの端子ｂは単相マトリクスコンバータ４３ｂの端子ａに接続される。また、単相マトリクスコンバータ４３ｂの端子ｂは、単相マトリクスコンバータ４３ｃの端子ａに接続され、単相マトリクスコンバータ４３ｃの端子ｂは中性点Ｎに接続される。
【００３６】
一方、各単相マトリクスコンバータ４３ａ〜４３ｃの３つの端子ｕ，ｖ，ｗは、それぞれ独立した三相変圧器４２の二次巻線４４に接続される。一方、三相変圧器４２の一次巻線４５は、電力系統３０に接続される。かかる三相変圧器４２は、結合部として、単相マトリクスコンバータ４３ａ〜４３ｃから出力される電力を、各々絶縁しつつ結合させ、この結合させた電力の電圧を、電力系統３０側に有する一次巻線４５により電力系統３０の電圧へと昇圧させる。
【００３７】
このように、風力発電用マトリクスコンバータ装置２０では、マトリクスコンバータ２１は直列多重マトリクスコンバータを構成している。そのため、発電機１５側と電力系統３０側の双方に流す電流の高調波を低減することができる。
【００３８】
また、各ユニット４１ａ〜４１ｃにおいて、３つの単相マトリクスコンバータ４３ａ〜４３ｃが直列接続され、各単相マトリクスコンバータ４３ａ〜４３ｃは、発電機１５の発電電圧を略３で割った電圧を出力する。また、各単相マトリクスコンバータ４３ａ〜４３ｃから発電機１５へ出力されるサージ電圧は各単相マトリクスコンバータ４３ａ〜４３ｃの出力電圧に比例する。よって、風力発電用マトリクスコンバータ装置２０では、単相マトリクスコンバータを直列接続しない場合に比べ、発電機１５の発電電圧に対するサージ電圧の割合が小さい。その結果、サージ電圧による発電機１５への影響を低減することができる。なお、サージ電圧による発電機１５への影響は、単相マトリクスコンバータの直列接続数を大きくするほど低減することができる。
【００３９】
また、三相変圧器４２の一次側電圧を高くすることで、三相変圧器４２における一次巻線４５の線径を小さくすることができ、これにより、メンテナンス性を高めることができる。さらに、各単相マトリクスコンバータ４３ａ〜４３ｃの端子ｕ，ｖ，ｗをそれぞれ独立した二次巻線４４に接続し、各二次巻線４４が出力する電圧の間に一定の位相差が発生するように三相変圧器４２を構成することもできる。これにより、例えば、各単相マトリクスコンバータ４３ａ〜４３ｃで発生するノイズなどをキャンセルすることができる。
【００４０】
また、マトリクスコンバータ２１は、発電機１５の回転速度が遅く、例えば、発電機１５から出力される発電電圧の周波数がゼロであっても、電力系統３０への運転を行うことができる。発電機１５の周波数がゼロであっても、風力発電用マトリクスコンバータ装置２０は、電力系統３０の電圧の位相に応じてオンオフするスイッチング素子を切り替えるので、特定のスイッチング素子に電流が連続して流れる電流集中が防止されるからである。したがって、スイッチング素子（後述の双方向スイッチ５３ａ〜５３ｆ）の容量を抑えながら、風車１４の回転位置を静止させることもできる。
【００４１】
また、各単相マトリクスコンバータ４３ａ〜４３ｃにそれぞれ単相マトリクスコンバータを並列に接続することで、各ユニット４１ａ〜４１ｃの電流定格値を倍増させることができる。マトリクスコンバータを並列に接続した場合は、インバータを並列に接続した場合と異なり、容量の大きなコンデンサが存在しない。そのため、電力系統３０側に接続された三相変圧器４２の二次巻線４４のインダクタンスや電力系統３０側のフィルタリアクトルが、発電機１５側の電流をバランスさせる効果をもち、電流バランス用のリアクトルも省くことができる。
【００４２】
例えば、図５に示すように、各ユニット４１ａ〜４１ｃにおいて、各単相マトリクスコンバータ４３ａ〜４３ｃにそれぞれ単相マトリクスコンバータ４６ａ〜４６ｃを並列に接続することができる。図５は、並列接続により電流定格を増加させた直列多重マトリクスコンバータの構成を示す図である。図５においては、Ｓ相ユニット４１ｂとＴ相ユニット４１ｃの構成は図示していないが、Ｒ相ユニット４１ａと同様の構成である。なお、並列接続する単相マトリクスコンバータを増加させるほど、各ユニット４１ａ〜４１ｃの電流定格値を増加させることができる。
【００４３】
また、マトリクスコンバータ２１を直列多重マトリクスコンバータとするのではなく、例えば、マトリクスコンバータを複数並列に接続した並列多重マトリクスコンバータとし、電流バランス用のリアクトルも省いた構成としてもよい。
【００４４】
ここで、単相マトリクスコンバータ４３ａ〜４３ｃの構成を説明する。各単相マトリクスコンバータ４３ａ〜４３ｃは、同一構成であるため、ここでは単相マトリクスコンバータ４３ａの構成を説明する。図６は図４に示す単相マトリクスコンバータ４３ａの構成の一例を示す図である。
【００４５】
図６に示すように、単相マトリクスコンバータ４３ａは、単相マトリクスコンバータ本体５０と、フィルタ５１と、スナバ回路５２とを備える。
【００４６】
単相マトリクスコンバータ本体５０は、双方向スイッチ５３ａ〜５３ｆを備える。双方向スイッチ５３ａ〜５３ｃの一端には単相マトリクスコンバータ４３ａの端子ａが接続され、双方向スイッチ５３ｄ〜５３ｆの一端には単相マトリクスコンバータ４３ａの端子ｂが接続される。
【００４７】
そして、双方向スイッチ５３ａの他端は双方向スイッチ５３ｄの他端に接続され、さらにフィルタ５１を介して端子ｗに接続される。同様に、双方向スイッチ５３ｂの他端は双方向スイッチ５３ｅの他端に接続され、さらにフィルタ５１を介して端子ｖに接続される。また、双方向スイッチ５３ｃの他端は双方向スイッチ５３ｆの他端に接続され、さらにフィルタ５１を介して端子ｕに接続される。
【００４８】
双方向スイッチ５３ａ〜５３ｆは、例えば、単一方向のスイッチング素子を逆方向に並列接続した２素子から構成することができる。スイッチング素子としては、例えば、ＩＧＢＴ（Ｉｎｓｕｌａｔｅｄ  Ｇａｔｅ  Ｂｉｐｏｌａｒ  Ｔｒａｎｓｉｓｔｏｒ）などの半導体スイッチがあり、特に逆阻止能力をもった半導体スイッチがスイッチング素子として用いられる。そして、かかる半導体スイッチのゲートに信号を入力して各半導体スイッチをＯＮ／ＯＦＦすることで、通電方向が制御される。
【００４９】
フィルタ５１は、単相マトリクスコンバータ本体５０のスイッチングによって発生する高調波電流を低減するためのフィルタであり、コンデンサＣ１ａ〜Ｃ１ｃと、インダクタンス（リアクタンス）Ｌ１ａ〜Ｌ１ｃを備える。インダクタンスＬ１ａ〜Ｌ１ｃは、単相マトリクスコンバータ本体５０と端子ｕ，ｖ，ｗとの間に接続され、コンデンサＣ１ａ〜Ｃ１ｃは、それぞれの一端が端子ｕ，ｖ，ｗに接続され、他端が共通に接続される。
【００５０】
ここで、単相マトリクスコンバータ４３ａの端子ｕ，ｖ，ｗには、図４に示すように、三相変圧器４２に接続されている。すなわち、端子ｕ，ｖ，ｗには、インダクタンス成分が接続されていることになる。したがって、三相変圧器４２によってインダクタンスＬ１ａ〜Ｌ１ｃの一部または全部の機能を担うことができ、フィルタ５１の小型化やコスト低減を図ることができる。このように、直列多重マトリクスコンバータでは、単相マトリクスコンバータ４３ａの小型化やコスト低減を図ることができるという利点がある。
【００５１】
次に、図６に示すスナバ回路５２について説明する。図６に示すように、スナバ回路５２は、発電機側全波整流回路５４と、電力系統側全波整流回路５５と、コンデンサＣ２と、放電回路５６とを備える。スナバ回路５２は、単相マトリクスコンバータ本体５０の端子間に発生するサージ電圧を発電機側全波整流回路５４および電力系統側全波整流回路５５によって直流電圧へ変換してコンデンサＣ２に蓄積し、当該蓄積した直流電圧を放電回路５６によって放電する。
【００５２】
なお、放電回路５６による放電は、コンデンサＣ２の電圧が所定値以上の電圧となった場合に行われる。また、放電回路５６は、発電機１５の発電電圧の変化率が所定値以上となった場合、あるいは発電機１５の回転速度の変化率が所定値以上となった場合に制御部２２から出力される放電指令によって動作する回路である。放電回路５６は、ＩＧＢＴなどのスイッチング素子と抵抗とが直列に接続されて構成され、コンデンサＣ２と並列に接続される。
【００５３】
図３に戻って、制御部２２の構成を説明する。制御部２２は、トルク指令生成部６１と、電圧指令生成部６２と、系統電圧検出部６３と、参照電圧出力部６４と、ＰＬＬ（Ｐｈａｓｅ  Ｌｏｃｋｅｄ  Ｌｏｏｐ）６５と、力率制御部６６と、制御信号発生部６７と、力率設定部７７とを備える。
【００５４】
トルク指令生成部６１は、発電機１５の回転トルクを決定するトルク指令を生成して出力する。具体的には、トルク指令生成部６１は、発電機１５の回転速度の情報である速度検出値を速度検出器１８から取得し、発電機１５の回転速度に応じたトルク指令を出力する。これにより、風車１４の回転速度に応じて効率的に発電を行うことができるようにしている。
【００５５】
電圧指令生成部６２は、入力されるトルク指令に応じた発電機１５に対する電圧指令を生成して制御信号発生部６７へ出力する。例えば、電圧指令生成部６２は、トルク指令生成部６１からトルク指令を取得した場合、このトルク指令に基づいて電圧指令を生成して、制御信号発生部６７へ出力する。この場合、電圧指令生成部６２は、例えば一つの方法として、電圧指令を生成するために発電機電流検出器１９が検出した発電機電流検出値を取得し、発電機電流検出値からトルク発生に寄与するトルク電流成分を抽出する。電圧指令生成部６２は、このように抽出したトルク電流成分とトルク指令生成部６１から取得したトルク指令との偏差に基づき電圧指令を生成する。
【００５６】
系統電圧検出部６３は、マトリクスコンバータ２１と電力系統３０との間の接続点を監視して電力系統３０の電圧を検出し、検出した電圧の瞬時値を系統電圧検出値として参照電圧出力部６４へ出力する。これにより、系統電圧検出値が系統電圧検出部６３から参照電圧出力部６４へ出力される。参照電圧出力部６４は、系統電圧検出部６３から取得した系統電圧検出値をＰＬＬ６５へ出力する。
【００５７】
ＰＬＬ６５は電力系統３０の三相の電圧値から、電力系統３０の電圧位相の情報を生成し、力率制御部６６へ出力する。力率制御部６６は、入力される電力系統３０の電圧位相の情報に基づき、電流位相の情報を生成する。なお、ＰＬＬ６５は電圧位相生成部の一例である。図７は、力率制御部６６の構成の一例を示す図である。
【００５８】
図７に示すように、力率制御部６６は、ＰＬＬ６５から入力される電圧位相の情報に力率角指令βを加算して電力系統３０の電流位相を生成する加算器８０を備える。力率制御部６６は、入力される電力系統３０の電圧位相の情報と、生成した電流位相の情報とを制御信号発生部６７（図３参照）へ出力する。これにより、電力系統３０側の力率が設定される。
【００５９】
力率角指令βは、力率設定部７７（図３参照）によって設定される指令である。力率設定部７７は、例えば、電力系統３０側のシステムから設定される情報に基づいて、力率角指令βを決定する。なお、電力系統３０側の状態などに応じて力率設定部７７が力率角指令βを決定するようにしてもよい。
【００６０】
図３に示す制御信号発生部６７は、マトリクスコンバータ２１に電力変換を行わせるＰＷＭパルスパターンの制御信号を生成して、生成した制御信号をマトリクスコンバータ２１へ出力する。制御信号発生部６７は、制御信号の生成を、電圧指令生成部６２から取得した電圧指令、力率制御部６６から取得した電圧位相の情報および電流位相の情報などに基づいて行う。
【００６１】
マトリクスコンバータ２１は、制御信号発生部６７から出力されるＰＷＭパルスパターンの制御信号に基づき、双方向スイッチ５３ａ〜５３ｆをＯＮ／ＯＦＦして、電力変換を行う。かかるマトリクスコンバータ２１は、入力される電圧を双方向スイッチ５３ａ〜５３ｆによって直接スイッチングすることにより、発電機１５側の制御と電力系統３０側の制御とをそれぞれ行う。これにより、マトリクスコンバータ２１は、発電機１５の発電電力を電力系統３０側の電圧値および周波数に合せて電力変換し、出力することができる。
【００６２】
図８は、制御信号発生部６７によるマトリクスコンバータ２１の制御例を説明する図である。図８に示すように、発電機１５から出力される三相交流電圧（Ｒ相電圧ＥＲ、Ｓ相電圧ＥＳ、Ｔ相電圧ＥＴ）がＰＷＭパルスパターンの制御信号によって選択されて、パルス形状の出力電圧が電力系統３０側へ出力される。
【００６３】
ここでは、制御信号発生部６７から出力される制御信号によって、基準となる最小電圧相と中間電圧相とが選択された後、最小電圧相と最大電圧相とが選択され、その後、再び最小電圧相と中間電圧相とが選択される。そのため、一般的なインバータと比較し１回の電圧変動が少なくなり、この結果、サージ電圧や漏れ電流を抑制することができる。
【００６４】
図８に示す例では、図中区間１において、基準となるＴ相電圧ＥＴと中間電圧相であるＳ相電圧ＥＳとが選択されて第１パルス９５が電力系統３０側へ出力電圧として出力される。その後、Ｔ相電圧ＥＴと最大電圧相であるＲ相電圧ＥＲとが選択されて第２パルス９６が電力系統３０側へ出力電圧として出力され、続いて、Ｔ相電圧ＥＴとＳ相電圧ＥＳとが再び選択されて第１パルス９５が電力系統３０側へ出力電圧として出力される。
【００６５】
このように、制御信号発生部６７は、系統電圧検出部６３から取得した電力系統３０の電圧検出値を参照し、電圧指令生成部６２から入力される電圧指令に応じたＰＷＭパルスを生成する。そして、制御信号発生部６７は、ＰＷＭパルスの面積で出力電圧間の電圧値を制御し、ＰＷＭパルスの比率で電力系統３０側の電流である入力電流を正弦波に近づけている。ここで、ＰＷＭパルスの比率は、系統電圧値のうち最小電圧相と中間電圧相、または最大電圧相と中間電圧相によって形成される第１パルスの時間幅と、最小電圧相と最大電圧相によって形成される第２パルスの時間幅との比である。
【００６６】
例えば、図８に示すＰＷＭパルス９４は、第１パルス９５と第２パルス９６とによって形成されており、第１パルス９５の期間Ｔ１と第２パルス９６の期間Ｔ２の比αを変化させることで、入力電流の波形形状が変化する。例えば、期間Ｔ１と期間Ｔ２との比（ＰＷＭパルス幅の比）であるαを電力系統３０の電圧である入力電圧の位相に応じて変化させ、かつ入力電圧の位相における最大電圧相または最小電圧相の電圧値と中間電圧相の電圧値との比とする。さらに、入力電圧の位相に応じて制御周期Ｔの間継続して電流を流し続けるのを最大電圧相とするか、最小電圧相とするかを決定することによって、入力電流の波形を、入力電圧と位相が等しい正弦波とし、力率を１とすることができる。
【００６７】
また、制御信号発生部６７は、力率制御部６６から出力される電流位相に従って、ＰＷＭパルスの比αを決定し、さらに制御周期Ｔの間継続して電流を流し続けるのを最大電圧相とするか、最小電圧相とするかを決定する。これにより、電力系統３０側の力率を力率設定部７７によって設定された力率とする制御信号がマトリクスコンバータ２１へ出力される。
【００６８】
図３に戻り、引き続き制御部２２の説明を行う。制御部２２は、さらに、位置指令部６８と、位置制御部６９と、切替器７０と、発電電圧検出部７１と、放電指令部７２と、電源切替部７３と、停電検出部７４と、状態量切替部７５とを備える。そして、制御部２２は、停電時制御、風車回転位置制御、余剰電力放電制御、電源切替制御などの各種の制御を行う。以下、これらの制御について具体的に説明する。
【００６９】
（停電時制御）
まず、制御部２２が行う停電時制御について説明する。この停電時制御を行うために、制御部２２は、図３に示すように、停電検出部７４、状態量切替部７５および参照電圧出力部６４を備える。
【００７０】
停電検出部７４は、系統電圧検出部６３によって検出された系統電圧検出値から、電力系統３０が停電したことを検出し、停電検出信号を生成する。そして、停電検出部７４は、生成した停電検出信号を、電圧指令生成部６２、力率制御部６６、制御信号発生部６７および状態量切替部７５に出力する。ここでは、停電検出部７４は、系統電圧検出値から電力系統３０の停電を検出するが、停電検出方法はこれに限定されるものではない。例えば、停電検出部７４において、マトリクスコンバータ２１と電力系統３０との間に流れる電流の値（以下、「系統電流値」とも記載する場合がある）に基づいて、電力系統３０の停電を検出してもよい。
【００７１】
なお、系統電圧検出値や系統電流値に基づいて電力系統３０の停電を検出する方法は、周知の方法を採用することができる。例えば、マトリクスコンバータ２１において停電検出用信号発生部（図示せず）を設け、マトリクスコンバータ２１から電力系統３０へ出力される電圧に停電検出用信号を重畳させる。そして、系統電圧検出部６３によって停電検出用信号が検出された場合に、停電検出部７４は、電力系統３０が停電したことを検出する。また、停電検出部７４において、例えば、マトリクスコンバータ２１が出力する電圧や電流の位相と、電力系統３０における電圧や電流の位相とを比較することによって電力系統３０が停電したことを検出することができるようにしてもよい。
【００７２】
また、停電検出部７４は、電力系統３０の電圧や電力系統３０へ流れる電流を検出することで電力系統３０の停電を検出することに代えて、電力系統３０側から送出される停電情報（図示せず）を取得した場合に電力系統３０の停電を検出するようにしてもよい。
【００７３】
発電電圧検出部７１は、発電機１５の出力電圧（発電電圧）の電圧を検出し、検出した電圧の瞬時値を発電電圧検出値として状態量切替部７５へ出力する。
【００７４】
状態量切替部７５は、停電検出部７４から停電検出信号が出力された場合、内部に有する切替器を切り替え、参照電圧出力部６４と制御信号発生部６７に出力する信号を系統電圧検出値から発電電圧検出値に切り替える。これにより停電が発生すると、参照電圧出力部６４および制御信号発生部６７は、電力系統３０の電圧ではなく、発電機１５の電圧に基づき動作するようになる。
【００７５】
電圧指令生成部６２は、停電検出部７４から停電検出信号が出力された場合、生成する電圧指令を上述した発電機１５に対する電圧指令から電力系統３０に対する電圧指令に切り替える。この電力系統３０に対する電圧指令は、例えば、ゼロ電圧を、トルク指令とトルク電流成分との偏差に基づき補正したものである。この場合、電圧指令生成部６２は、発電機電流検出器１９が検出した発電機電流検出値を取得し、この発電機電流検出値からトルク発生に寄与するトルク電流成分を抽出する。電圧指令生成部６２は、このように抽出したトルク電流成分とトルク指令生成部６１から取得したトルク指令との偏差を算出し、かかる偏差に基づき、ゼロ電圧を補正して、電力系統３０に対する電圧指令を生成する。上記ゼロ電圧は、停電が発生した場合に、電力系統３０の電圧がゼロとなることを前提としたものである。
【００７６】
また、電圧指令生成部６２は、上述した電力系統３０に対する電圧指令を、系統電圧検出値を使用して生成することもできる。例えば、電圧指令生成部６２は、系統電圧検出部６３によって検出された電圧を上述したトルク指令とトルク電流成分との偏差に基づき補正したものを電力系統３０に対する電圧指令とすることができる。
【００７７】
力率制御部６６は、停電検出部７４から停電検出信号が入力された場合、制御信号発生部６７へ出力する電流位相として発電機１５を駆動するのに必要な電流位相を出力する。例えば発電機１５が永久磁石タイプの回転電機であれば、制御信号発生部６７へ出力する電流位相をＰＬＬ６５から入力される発電機１５の電圧位相と等しい値とする。また、発電機１５が誘導型回転電機のように、電流中に励磁電流成分とトルク電流成分を含む場合は、トルク電流成分は発電機１５の電圧と位相が等しく、トルク電流成分と９０度位相差で励磁電流成分が流れるものとする。力率制御部６６は、電圧指令生成部６２からトルク電流成分の指令値Ｉｑおよび励磁電流成分の指令値Ｉｑを取得し（不図示）、ｔａｎ―１（Ｉｄ／Ｉｑ）で求まる角度を力率角指令βとする。そして、力率制御部６６は、発電機１５の電圧位相に力率角指令βを加算して制御信号発生部６７へ出力する電流位相を生成する。力率制御部６６は、停電検出信号が入力されている間、このようにして生成した電流位相を制御信号発生部６７に出力する。
【００７８】
制御信号発生部６７は、停電検出部７４から停電検出信号が入力された場合、電圧指令生成部６２からの電圧指令を電力系統３０への電圧指令として扱い、系統電圧検出値に代えて発電電圧検出値を参照し、電圧指令生成部６２から入力される電圧指令と、力率制御部６６から入力される電圧位相、電流位相に応じたＰＷＭパルスを生成する。さらに、発電電圧値に基づき電力系統３０に電圧が出力されるように、マトリクスコンバータ２１内の双方向スイッチ５３ａ〜５３ｆを選択し、選択した双方向スイッチにＰＷＭパルス信号を分配する。これにより、マトリクスコンバータ２１は、停電発生直後における電力系統３０の電圧降下中、電力系統３０の電圧がゼロとなる完全停電中、復電時における電力系統３０の電圧上昇中を通して、発電機１５に対してトルク指令と等しいトルクを発生する電流を流しながら、停電発生時においても運転を継続することができる。
【００７９】
風力発電用マトリクスコンバータ装置２０の構成は、図３に示す例以外の構成でも、停電時制御を実行することが可能であり、例えば、図９に示す構成にしてもよい。図９は、第１の実施形態に係る風力発電装置の他のブロック図である。図９に示す風力発電用マトリクスコンバータ装置２０は、発電機電流検出器１９に加え、さらに、系統電流検出器２５と、状態量切替部７８とを備える。なお、図９に示す風力発電用マトリクスコンバータ装置２０では、停電検出部７４からの停電検出信号に関係なく、系統電圧検出部６３により取得された電力系統３０の電圧検出値が参照電圧出力部６４、力率制御部６６および制御信号発生部６７へ出力される。
【００８０】
系統電流検出器２５は、マトリクスコンバータ２１と電力系統３０の間に流れる電流を検出し、検出した電流の瞬時値を系統電流検出値として制御部２２へ出力する。なお、系統電流検出器２５として、例えば、磁電変換素子であるホール素子を利用して電流を検出する電流センサを用いることができる。
【００８１】
状態量切替部７８は、発電機電流検出器１９が検出した発電機電流検出値と系統電流検出器２５が検出した系統電流検出値とを取得する。かかる状態量切替部７８は、停電検出部７４から停電検出信号が出力された場合、電圧指令生成部６２に出力する信号を発電機電流検出値から系統電流検出値に切り替える。
【００８２】
電圧指令生成部６２は、停電検出部７４から停電検出信号が入力された場合、トルク指令生成部６１からのトルク指令に代えて自身が保持する停電時系統電流指令を使用し、停電時系統電流指令と系統電流検出値に基づき発電機１５に対する電圧指令を生成する。一方、停電検出部７４から停電検出信号が入力されない場合、電圧指令生成部６２は、上述のように、例えば、発電機電流検出値から抽出したトルク電流成分とトルク指令生成部６１から取得したトルク指令との偏差に基づき電圧指令を生成する。
【００８３】
制御信号発生部６７は、電圧指令生成部６２から出力される発電機１５に対する電圧指令に基づき、マトリクスコンバータ２１に電力変換を行わせる制御信号を生成し、生成した制御信号をマトリクスコンバータ２１へ出力する。これによりマトリクスコンバータ２１は、電力系統３０に停電時系統電流指令どおりの電流を流しながら、停電時においても運転を継続することができる。
【００８４】
この場合、停電により参照電圧出力部６４から出力される系統電圧検出値が正常値でなくなる。このような場合においても、ＰＬＬ６５内部のゲイン設定等により、停電発生中でもＰＬＬ６５が電力系統３０の電圧位相の情報を出力し続けるように構成することが可能である。
【００８５】
さらにこの場合、図９に示すように、系統電圧検出部６３によって検出された電力系統３０の電圧波形を最新の所定周期分（例えば、５周期分）だけ記憶するリングバッファである系統電圧波形記憶部７６を設けてもよい。かかる系統電圧波形記憶部７６は、もっとも古く記憶した系統電圧検出値を消去しながら系統電圧検出部６３によって検出された系統電圧検出値を順次記憶する記憶処理を実行する。なお、系統電圧波形記憶部７６において、最新の所定周期分の電圧波形ではなく、最新の指定時間分の電圧波形を記憶するようにしてもよい。
【００８６】
また、系統電圧波形記憶部７６は、電力系統３０の電圧波形を記憶している状態において、停電検出部７４から停電検出信号が入力された場合、記憶処理を停止し、記憶状態を保持する。参照電圧出力部６４は、系統電圧検出部６３から取得した系統電圧検出値をＰＬＬ６５へ出力している状態で停電検出部７４から停電検出信号が入力された場合、系統電圧波形記憶部７６から電圧値の情報を読み出してＰＬＬ６５へ出力する。
【００８７】
図１０は、停電時制御の手順を示す図である。発電機１５から電力系統３０への電力変換がマトリクスコンバータ２１によって行われている途中で、図１０に示すように、電力系統３０に停電が発生した場合、停電検出部７４から停電検出信号（Ｈレベルの信号）が出力される。これにより、系統電圧波形記憶部７６の記憶処理が停止され、系統電圧波形記憶部７６に記憶された電圧値が参照電圧出力部６４によって指定周期分前のものから順次読み出され、ＰＬＬ６５へ出力される。これにより、停電発生後もＰＬＬ６５は電圧値の情報を取得でき、電力系統３０の電圧位相の情報を出力し続けることができる。
【００８８】
またこの場合、停電検出部７４は、上述のとおり停電検出信号を力率制御部６６や制御信号発生部６７へ出力しており、これにより、電力系統３０側の力率が変更される。例えば、力率制御部６６は、電力系統３０が停電になった場合に、力率角指令βの値を変更し、ＰＬＬ６５から入力される電圧位相に力率角指令βを加算して電流位相の情報を生成する。制御信号発生部６７は、力率制御部６６から出力される情報に基づいて、電力系統３０側の力率を変更する。これにより、瞬時停電が発生した場合でも風力発電部１０を停止させずに系統連系を維持させながら、上述の停電時系統電流指令および変更した力率角指令βで定まる電流を系統側に出力することで、電力系統３０が要求する無効電力を供給することが可能となる。
【００８９】
以上のように、制御部２２は、電力系統３０側の電流値と電圧値、および、発電機１５側の電流値と電圧値のうちの三つ以上の状態量を取得する。そして、制御部２２は、これら三つ以上の状態量のうち電力系統３０側の状態量と発電機１５側の状態量との組み合わせを、停電検出部７４による検出結果に基づいて、状態量切替部７５や状態量切替部７８によって切り替える。これにより、停電時も運転を継続する停電時制御を行うことができる。
【００９０】
なお、図３および図９を参照して説明した状態量の組み合わせの切り替えパターンは、一例に過ぎず、その他の切り替えパターンで停電検出部７４による検出結果に基づく状態量の切り替え制御を行って停電時も運転を継続する停電時制御を行ってもよい。
【００９１】
また、制御部２２は、電力系統３０側の電流値と電圧値、および、発電機１５側の電流値と電圧値のうちの三つ以上の状態量を取得する状態量取得部として機能する。例えば、制御部２２は、電力系統３０側の電流値を、系統電流検出器２５（図９参照）から系統電流検出値として取得し、電力系統３０側の電圧値を、系統電圧検出部６３（図３および図９参照）によって電力系統３０の電圧値として検出する。また、制御部２２は、発電機１５側の電流値を、発電機電流検出器１９（図３および図９参照）から発電機電流検出値として取得し、発電機１５側の電圧値を、発電電圧検出部７１（図３および図９参照）によって発電電圧検出値として取得する。
【００９２】
（風車回転位置制御）
次に、制御部２２が行う風車回転位置制御について説明する。この風車回転位置制御を行うために、制御部２２は、図３および図９に示すように、位置指令部６８および位置制御部６９を備える。
【００９３】
位置指令部６８は、目標位置を規定する位置指令の情報を内部の記憶部に複数記憶しており、操作部２４によって指定された風車１４の回転位置に応じた位置指令を内部の記憶部から読み出して位置制御部６９へ出力する。位置指令部６８に記憶される位置指令は、各ブレード１３ｂ（図１参照）を取り付けまたは取り外しする際に最適なロータハブ１３ａの位置を目標位置とする情報である。あるいは操作部２４にて目標位置を直接指令して、ブレード１３ｂの取り付けまたは取り外しに最適な回転位置のみならず、任意の回転位置に風車１４を停止させる構成とすることも可能である。
【００９４】
例えば、ロータハブ１３ａの０度の回転位置がブレード１３ｂ１（図２Ａ参照）の取り付け等に最適な位置であり、ロータハブ１３ａの１２０度の回転位置がブレード１３ｂ２（図２Ｃ参照）の取り付け等に最適な位置であるとする。また、ロータハブ１３ａの２４０度の回転位置が残りのブレード１３ｂの取り付け等に最適な位置であるとする。
【００９５】
この場合、位置指令部６８は、ロータハブ１３ａの０度の回転位置、１２０度の回転位置、２４０度の回転位置をそれぞれ目標位置とする位置指令を内部の記憶部に記憶する。そして、例えば、操作部２４によってブレード１３ｂ２（図２参照）が指定された場合、位置指令部６８は、ロータハブ１３ａの２４０度の回転位置を目標位置とする位置指令を内部の記憶部から読み出して位置制御部６９へ出力する。
【００９６】
なお、位置指令部６８は、操作部２４から指定されたロータハブ１３ａの回転位置に対応する位置指令を生成して位置制御部６９へ出力することもできる。また、位置指令部６８において、例えば、ロータハブ１３ａの０度以上３６０度未満のそれぞれの回転位置（例えば、１度毎の回転位置）を目標位置とする位置指令を内部の記憶部に記憶してもよい。この場合、操作部２４からロータハブ１３ａの回転位置が指定されると、指定された回転位置を目標位置とする位置指令を内部の記憶部から読み出して位置制御部６９へ出力する。
【００９７】
また、位置指令部６８は、操作部２４によってロータハブ１３ａの回転位置が指定された場合、切替器７０へ切替信号を出力する。この切替信号によって、切替器７０は、電圧指令生成部６２へ入力されるトルク指令をトルク指令生成部６１のトルク指令から位置制御部６９のトルク指令へ切り替える。
【００９８】
位置制御部６９は、位置指令部６８から出力される位置指令を取得し、位置検出器１６から出力される位置検出値を取得し、さらに、速度検出器１８から出力される速度検出値を取得する。そして、位置制御部６９は、位置指令、位置検出値および速度検出値に基づいて、風車１４の回転位置を位置指令で規定される目標位置に一致させるトルク指令を出力する。図１１は、位置制御部６９の構成の一例を示す図である。
【００９９】
図１１に示すように、位置制御部６９は、減算器８１、８３と、ＰＩ増幅器８２、８４とを備える。減算器８１は、位置指令から位置検出値を減算して生成した位置差分信号をＰＩ増幅器８２へ入力する。すなわち、減算器８１は、位置指令で規定される目標値と風車１４の現在の回転位置とを比較して、目標値と風車１４の回転位置との差分を位置差分信号として出力する。
【０１００】
ＰＩ増幅器８２は、減算器８１から出力された位置差分信号をＰＩ（比例積分）増幅して速度信号へ変換し、減算器８３へ出力する。減算器８３は、ＰＩ増幅器８２から出力された速度信号を取得し、また、速度検出器１８から出力される速度検出値を取得する。そして、減算器８３は、速度信号から速度検出値を減算して生成した速度差分信号をＰＩ増幅器８４へ入力する。
【０１０１】
ＰＩ増幅器８４は、減算器８３から出力された速度差分信号を取得し、速度差分信号をＰＩ（比例積分）増幅してトルク指令へ変換して切替器７０（図３および図９参照）へ出力する。
【０１０２】
図３および図９に示すように、位置制御部６９から出力されるトルク指令は、切替器７０へ入力され、切替器７０を介して電圧指令生成部６２へ出力される。電圧指令生成部６２は、位置制御部６９から入力されるトルク指令に応じた電圧指令を制御信号発生部６７へ出力する。これにより、電力系統３０から発電機１５への電力変換が行われ、風車１４が操作部２４によって指定された目標位置に移動して停止する。
【０１０３】
このように、風力発電用マトリクスコンバータ装置２０では、位置指令部６８と位置制御部６９とを設けることによって、クレーンや油圧装置などを用いずに、操作部２４からの操作によって指定された目標位置に風車１４の回転位置を一致させることができる。そのため、風車１４を停止させてブレード１３ｂの取り付けや取り外しを容易に行うことができ、風力発電部１０の設置作業や保守作業の作業性を向上させることができる。
【０１０４】
また、位置制御部６９は、風車１４の回転位置が目標位置に達した後、風車１４の回転位置と目標位置とに基づいた制御信号を制御信号発生部６７から引き続きマトリクスコンバータ２１へ出力させる。これにより、風車１４の回転位置が目標位置に達した後に風車１４の回転位置を目標位置に静止させることができる。
【０１０５】
風力発電部１０には、強風などの場合において、風車１４をより安定して静止させるために、ブレード１３ｂの位置を固定させるための固定機構が設けられている。ここでは、固定機構として、ロータハブ１３ａを固定するためのロックピン（図示せず）が設けられる。そのため、ブレード１３ｂの取り付けや取り外しをさらに容易に行うことができ、風力発電部１０の設置作業や保守作業の作業性をさらに向上させることができる。なお、マトリクスコンバータ２１は、風車１４の回転位置を保持する静止状態でも、内部の特定の双方向スイッチ５３ａ〜５３ｆに電流が集中するということが起こらないため、双方向スイッチ５３ａ〜５３ｆの熱定格を超えることのない安定した静止動作が実現できる。
【０１０６】
なお、操作部２４への所定操作があった場合に、風車位置制御が終了するが、風車位置制御はこれに限定されるものではない。例えば、ブレード１３ｂの取り付けや取り外しを検出する検出器を設け、この検出器によってブレード１３ｂの取り付けや取り外しが検出された場合に、風車回転位置制御を終了するようにしてもよい。
【０１０７】
また、位置制御部６９において、ロータハブ１３ａへのブレード１３ｂの取り付け枚数やブレード１３ｂのピッチ（角度）に応じてトルク指令を調整するようにしてもよい。この場合、ブレード１３ｂの取り付け枚数を検出するブレード枚数検出器やブレード１３ｂのピッチを変更するピッチ変更機構を設ける。そして、ブレード枚数検出器やピッチ変更機構から出力されるブレード枚数の情報やピッチの情報に応じて位置制御部６９がトルク指令を調整する。
【０１０８】
このように、位置検出値や速度検出値だけでなく、風量、風向、ブレード１３ｂの取り付け枚数、ブレード１３ｂのピッチなども考慮してトルク指令を生成することができる。これにより、風車１４の回転位置を目標位置へより迅速に変化させることができ、また、風車１４の回転位置での静止をより安定して行うことができる。
【０１０９】
また、風車１４を目標位置へ移動させる際に、急激に風車１４のロータ１３を回転させると、発電機１５にストレスがかかる。かかるストレスは、風車１４の回転速度を制限することによって抑制することができる。風車１４の回転速度は、例えば、位置制御部６９から出力されるトルク指令が所定値以上にならないように制限するリミッタ回路を設けることで、抑制することができる。なお、操作部２４への操作によって、ＰＩ増幅器８２またはＰＩ増幅器８４のゲインを調整することができるようにしてもよい。
【０１１０】
また、風車１４を組み立てる場合、制御部２２は、ブレード１３ｂを取り付けるための目標位置に風車１４の回転位置を変更する制御を行うこともできる。例えば、制御部２２は、操作部２４によって指定された目標位置に風車１４の回転位置を一致させた後、ブレード１３ｂが取り付けられたと判定すると、残りのブレード１３ｂを取り付けるための目標位置に風車１４の回転位置を変更する制御を行うこともできる。これにより、風車１４の組立作業をより迅速に行うことができる。なお、この場合、例えば、ブレード１３ｂの取り付けを検知する検知部などを風車１４に設け、かかる検知部による検知結果に応じてブレード１３ｂが取り付けられたと判定する。
【０１１１】
（余剰電力放電制御）
次に、制御部２２が行う余剰電力放電制御について説明する。余剰電力放電制御は、余剰電力が発生した場合に、この余剰電力を放電する制御である。余剰発電電力は、突風が吹いて風車１４の回転が増加した場合や電力系統３０が停電した場合などに発生する。かかる余剰電力放電制御を行うために、制御部２２は、図３および図９に示すように、発電電圧検出部７１および放電指令部７２を備える。
【０１１２】
放電指令部７２は、速度検出器１８から出力される速度検出値や発電電圧検出部７１から出力される発電電圧検出値に基づいて、余剰発電電力が発生したか否かを判定する。放電指令部７２は、余剰発電電力が発生したと判定すると、マトリクスコンバータ２１へ放電指令を出力する。図１２は、放電指令部７２の構成の一例を示す図である。
【０１１３】
図１２に示すように、放電指令部７２は、微分回路８５、８６と、比較器８７、８８と、論理和回路（ＯＲ回路）８９とを備える。速度検出器１８から出力される速度検出値は、微分回路８５によって微分されて速度変化率値として出力される。微分回路８５から出力される速度変化率値は比較器８７に入力され、比較器８７によって予め設定された速度変化率異常検出レベルと比較される。微分回路８５から出力される速度変化率値が速度変化率異常検出レベルより高い場合、比較器８７は、Ｈレベルの信号を出力する。
【０１１４】
また、発電電圧検出部７１から出力される発電電圧検出値は、微分回路８６によって微分されて発電電圧変化率値として出力される。微分回路８６から出力される発電電圧変化率値は比較器８８に入力され、比較器８８によって予め設定された発電電圧変化率異常検出レベルと比較される。微分回路８６から出力される発電電圧変化率値が発電電圧変化率異常検出レベルより高い場合、比較器８８は、Ｈレベルの信号を出力する。
【０１１５】
そして、論理和回路８９は、比較器８７と比較器８８のいずれかからＨレベルの信号が出力された場合、Ｈレベルの信号である放電指令を出力する。例えば、突風が吹いて風車１４の回転が増加し、また、マトリクスコンバータ２１と電力系統３０が図示しない開閉器等で切り離されることによって余剰発電電力が発生した場合、放電指令部７２は、マトリクスコンバータ２１へ放電指令を出力する。
【０１１６】
放電指令は、単相マトリクスコンバータ４３ａ〜４３ｃ（図４参照）へ入力される。具体的には、単相マトリクスコンバータ４３ａ〜４３ｃに含まれるスナバ回路５２の放電回路５６へ入力される。これにより各放電回路５６がＯＮ状態となって、各放電回路５６によって余剰発電電力が消費される。特に、直流多重マトリクスコンバータは、単相マトリクスコンバータを複数備えるため、単相マトリクスコンバータ４３ａ〜４３ｃのそれぞれのスナバ回路５２で分散して余剰発電電力を消費することができる。
【０１１７】
このように、風力発電用マトリクスコンバータ装置２０では、突風や電力系統３０からの切り離しによって余剰発電電力が発生した場合であっても、スナバ回路５２に対して直流電圧の放電を指令する放電指令を出力する。そのため、余剰発電電力をスナバ回路５２で消費することができる。これにより、風力発電用マトリクスコンバータ装置２０の運転を継続したり、保護を図ったりすることができる。
【０１１８】
なお、上述においては、余剰発電電力をスナバ回路５２で消費させるようにしたが、余剰発電電力をＵＰＳ２３の蓄電池に充電させるようにしてもよい。この場合、放電指令が入力された場合に、発電機１５の出力交流電圧を直流電圧へ変換してＵＰＳ２３の蓄電池へ入力する充電部を設けるようにする。なお、充電部は設けず、スナバ回路５２のコンデンサＣ２（図６参照）の直流電圧をＵＰＳ２３の蓄電池へ絶縁部材を介して供給するようにしてもよい。
【０１１９】
また、放電指令部７２は、余剰発電電力をスナバ回路５２で消費させ、さらに、ＵＰＳ２３の蓄電池へ充電させるようにしてもよい。例えば、放電指令部７２は、余剰発電電力が閾値未満である場合には、スナバ回路５２および上述した充電部のうち一方へ放電指令を出力してスナバ回路５２またはＵＰＳ２３で余剰発電電力を消費させる。また、放電指令部７２は、余剰発電電力が所定値以上である場合には、スナバ回路５２および充電部の両方へ放電指令を出力してスナバ回路５２およびＵＰＳ２３で余剰発電電力を消費させる。
【０１２０】
また、余剰発電電力の大きさに応じて、スナバ回路５２で消費させる電力量とＵＳＰ２３で消費させる電力量との比を変更するようにしてもよい。なお、ＵＳＰ２３の蓄電池が満充電状態にある場合には、ＵＰＳ２３での電力消費を実行しないようにすることもできる。
【０１２１】
また、上述においては、放電回路５６によって余剰発電電力を消費する例を示したが、余剰発電電力を消費するための放電回路を放電回路５６とは別に設けてもよい。また、余剰発電電力を消費するために２つ以上の放電回路を用意しておき、余剰発電電力の大きさに応じて放電指令を入力する放電回路を選択するようにしてもよい。また、放電指令部７２は、速度変化率や発電電圧変化率が閾値以上になった場合に余剰電力を検出するようにしたが、風車１４の回転速度や発電機１５の発電電圧が閾値以上になった場合に余剰電力を検出するようにしてもよい。
【０１２２】
（電源切替制御）
次に、制御部２２が行う電源切替制御について説明する。この電源切替制御を行うために、制御部２２は、図３および図９に示すように、発電電圧検出部７１および電源切替部７３を備える。
【０１２３】
発電電圧検出部７１は、上述したように、発電機１５の発電電圧の電圧値を検出し、検出した電圧値を発電電圧検出値として電源切替部７３へ出力する。電源切替部７３は、発電電圧検出部７１から出力される発電電圧検出値を取得し、かかる発電電圧検出値に基づいて、電源切替が必要か否かを判定する。図１３は、電源切替部７３の構成の一例を示す図である。
【０１２４】
図１３に示すように、電源切替部７３は、電圧切替指令部９０と切替器９１とを備える。電圧切替指令部９０は、発電電圧検出部７１から出力される発電電圧検出値に基づいて、切替器９１を制御する。図１４は、図１３に示す電圧切替指令部９０の構成の一例を示す図である。
【０１２５】
図１４に示すように、電圧切替指令部９０は、比較器９２を備えており、この比較器９２によって発電電圧検出値と発電低電圧検出レベルを比較する。そして、発電電圧検出値が発電低電圧検出レベルよりも低い場合には、比較器９２から切替指令信号（Ｈレベルの信号）が切替器９１へ出力される。一方、発電電圧検出値が発電低電圧検出レベル以上である場合には、比較器９２からＬレベルの信号が切替器９１へ出力され、切替指令信号は出力されない。
【０１２６】
図１３に示す切替器９１は、電源切替部７３から切替指令信号が出力されない場合、発電機１５の発電電圧を、制御部２２を動作させるための制御電圧として出力する。一方、電源切替部７３から切替指令信号が出力された場合、切替器９１は、ＵＰＳ２３の出力電圧を、制御部２２を動作させるための制御電圧として出力する。
【０１２７】
ここで、発電低電圧検出レベルは、制御部２２を動作させる制御電圧を確保できない場合に、ＵＰＳ２３の出力電圧が制御電圧として選択される値に設定される。そのため、風が強く発電機１５の発電電圧が制御電圧を確保できる場合には、発電機１５の発電電圧が制御電圧として供給され、風が弱く発電機１５の発電電圧が制御電圧を確保できない場合には、ＵＰＳ２３の電圧が制御電圧として供給される。
【０１２８】
制御部２２は、このように発電機１５の発電電圧に応じて電源切替制御を行うため、発電機１５の発電状態に関わらず制御部２２に制御電圧が供給されることになり、風力発電用マトリクスコンバータ装置２０を安定して動作させることができる。
【０１２９】
なお、風が強く発電機１５の発電電圧が制御電圧を十分に確保できる電圧である場合、発電機１５の発電電圧をＵＰＳ２３へ出力するようにしてもよい。これにより、発電機１５の発電電圧によってＵＰＳ２３の蓄電池を充電することができ、風力発電用マトリクスコンバータ装置２０をより安定して動作させることができる。
【０１３０】
また、上述では、電源切替部７３は、発電機１５の発電電圧に基づいて切替器９１へ切替信号を出力するようにしたが、発電機１５の回転速度に基づいて切替器９１へ切替信号を出力するようにしてもよい。この場合、電源切替部７３は、例えば、速度検出器１８から出力される回転速度値と低回転速度検出レベルとを比較して、切替信号を出力する。
【０１３１】
（第２の実施形態）
第１の実施形態では、風力発電部１０と風力発電用マトリクスコンバータ装置２０とを有する風力発電装置１について説明したが、第２の実施形態では、複数の風力発電装置が設置されるウィンドファームについて説明する。図１５は、第２の実施形態に係るウィンドファームの構成を示す図である。
【０１３２】
図１５に示すように、第２の実施形態に係るウィンドファーム１００には、複数の風力発電装置１１０が設けられており、各風力発電装置１１０は送電線１４０に接続される。また、各風力発電装置１１０は、風力発電部１２０と、風力発電用マトリクスコンバータ装置１３０とを備える。
【０１３３】
ここで、各風力発電装置１１０は、上述した第１の実施形態に係る風力発電装置１と同様の構成である。すなわち、風力発電部１２０は、風力発電部１０と同様の構成であり、風力発電用マトリクスコンバータ装置１３０は、風力発電用マトリクスコンバータ装置２０と同様の構成である。
【０１３４】
風力発電用マトリクスコンバータ装置１３０が送電線１４０へ出力する電圧は、電力系統の電圧に合わせている。すなわち、風力発電用マトリクスコンバータ装置１３０において電力変換部を、例えば、直列多重マトリクスコンバータとする。また、直列多重マトリクスコンバータが有する変圧器（図４に示す三相変圧器４２参照）を一次側の定格電圧が電力系統の電圧と一致するような変圧比をもつ変圧器とする。これにより、風力発電用マトリクスコンバータ装置１３０を直接送電線１４０へ接続することができる。
【０１３５】
そのため、直列多重マトリクスコンバータを風力発電用マトリクスコンバータ装置１３０の電力変換部とした場合には、別途変圧器を用意する必要がなく、構成の簡略化および省スペース化を図ることが可能となる。
【０１３６】
なお、直列多重マトリクスコンバータが有する変圧器の一次巻線に複数のタップを設け、電力系統の電圧に応じたタップを選択して送電線１４０に接続することで、構成の簡略化および省スペース化を図りつつも、電圧の異なる電力系統に接続することが可能となる。
【０１３７】
また、風力発電部１２０の発電機を電動機として動作させることによって、風車の回転位置を制御するので、ブレードの取り付けや取り外しが容易になり、ウィンドファーム全体の建設工事の効率化および工期短縮を図ることができる。
【０１３８】
さらなる効果や変形例は、当業者によって容易に導き出すことができる。よって、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１３９】
１、１１０  風力発電装置
１０、１２０  風力発電部
１４  風車
１５  発電機
２０、１３０  風力発電用マトリクスコンバータ装置
２１  マトリクスコンバータ
４３ａ〜４３ｃ  単相マトリクスコンバータ
２２  制御部
２３  ＵＰＳ（無停電電源）
３０  電力系統
４２  三相変圧器
５２  スナバ回路
６６  力率制御部
７０  切替器
７３  電原切替部
７４  停電検出部
７６  系統電圧波形記憶部
７７  力率設定部
【図１】
2012111416.tif 000003
【図２Ａ】
2012111416.tif 000004
【図２Ｂ】
2012111416.tif 000005
【図２Ｃ】
2012111416.tif 000006
【図３】
2012111416.tif 000007
【図４】
2012111416.tif 000008
【図５】
2012111416.tif 000009
【図６】
2012111416.tif 000010
【図７】
2012111416.tif 000011
【図８】
2012111416.tif 000012
【図９】
2012111416.tif 000013
【図１０】
2012111416.tif 000014
【図１１】
2012111416.tif 000015
【図１２】
2012111416.tif 000016
【図１３】
2012111416.tif 000017
【図１４】
2012111416.tif 000018
【図１５】
2012111416.tif 000019
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
（削除）
【請求項２】
風力によって回転する風車の回転力により発電機で発電された電力を、フルコンバートして電力系統に供給するマトリクスコンバータと、
前記マトリクスコンバータを制御する制御部と
を備え、
前記制御部は、
前記電力系統の電圧または前記発電機の電圧から前記電力系統の電圧位相の情報または前記発電機の電圧位相の情報を生成する電圧位相生成部と、
前記電力系統側の力率を設定する力率設定部と、
前記力率設定部によって設定された力率に、前記電圧位相の情報を加算して、電流位相の情報を生成する力率制御部と、を備え、
前記制御部は、前記電流位相の情報に基づいて前記マトリクスコンバータを制御する制御信号を生成する
ことを特徴とする風力発電用マトリクスコンバータ装置。
【請求項３】
前記制御部は、
前記電力系統が停電であるかどうかを検出する停電検出部と、
前記電力系統と前記マトリクスコンバータとの間に流れる電流の値および前記電力系統の電圧の値の２つの電力系統側の状態量、および、前記発電機と前記マトリクスコンバータとの間に流れる電流の値および前記発電機の電圧の値の２つの発電機側の状態量のうちの三つ以上の状態量を取得する状態量取得部と、
前記停電検出部による検出結果に基づき、前記状態量取得部で取得される三つ以上の状態量のうち前記電力系統側の状態量と前記発電機側の状態量との組み合わせを切り替える状態量切替部と、を備え、
前記制御部は、前記状態量切替部の出力に基づき前記マトリクスコンバータを制御する制御信号を生成する
ことを特徴とする請求項２に記載の風力発電用マトリクスコンバータ装置。
【請求項４】
前記状態量切替部は、前記停電検出部によって前記電力系統の停電が検出されない場合に前記電力系統の電圧の値を電圧検出値として前記電圧位相生成部へ出力し、前記停電検出部によって前記電力系統の停電が検出された場合に前記発電機の電圧の値を電圧検出値として前記電圧位相生成部へ出力し、
前記電圧位相生成部は、前記電圧検出値から前記電圧位相の情報を生成し、
前記力率制御部は、前記停電検出部によって前記電力系統の停電が検出された場合、前記力率設定部に設定された力率に代えて停電時力率を演算し、当該停電時力率を前記電圧位相の情報に加算して、前記電流位相の情報を生成する
ことを特徴とする請求項３に記載の風力発電用マトリクスコンバータ装置。
【請求項５】
前記状態量切替部は、前記停電検出部によって前記電力系統の停電が検出されない場合に前記発電機と前記マトリクスコンバータとの間に流れる電流の値を検出電流値として出力し、前記停電検出部によって前記電力系統の停電が検出された場合に前記電力系統と前記マトリクスコンバータとの間に流れる電流の値を検出電流値として出力し、
前記制御部は、前記状態量切替部から出力される前記検出電流値に基づいて前記マトリクスコンバータを制御する制御信号を生成する
ことを特徴とする請求項３に記載の風力発電用マトリクスコンバータ装置。
【請求項６】
前記マトリクスコンバータは、
前記発電機の各相毎に直列接続されて複数設けられ、各々双方向の電力変換を行う単相マトリクスコンバータと、
複数の前記単相マトリクスコンバータから出力される電力を、各々絶縁しつつ結合させる結合部と、
を有し、
前記結合部は、
結合させた前記電力の電圧を、前記電力系統側に有する巻線により該電力系統の電圧へと昇圧させることを特徴とする請求項２乃至５のいずれか１項に記載の風力発電用マトリクスコンバータ装置。
【請求項７】
前記マトリクスコンバータは、
マトリクスコンバータを複数並列に接続した並列多重電力変換器であることを特徴とする請求項２乃至５のいずれか１項に記載の風力発電用マトリクスコンバータ装置。
【請求項８】
前記単相マトリクスコンバータは、
サージ電圧を直流電圧へ変換して蓄積し、当該蓄積した直流電圧を放電するスナバ回路を備え、
前記制御部は、
前記発電機の回転速度または前記発電機の発電電圧に基づいて、前記スナバ回路に対して前記直流電圧の放電を指令する放電指令を出力する放電指令部を備えたことを特徴とする請求項６に記載の風力発電用マトリクスコンバータ装置。
【請求項９】
蓄電池を有し、所定条件を満たす場合に前記蓄電池から前記制御部へ電力を供給する無停電電源を備え、
前記蓄電池は前記スナバ回路の直流電圧により充電されることを特徴とする請求項８に記載の風力発電用マトリクスコンバータ装置。
【請求項１０】
無停電電源と、
前記無停電電源から出力される電圧と前記発電機から出力される電圧とを切替信号に応じて切り替えて前記制御部を動作させるための電圧として出力する切替器と、
前記発電機の発電電圧に基づいて、前記切替器へ前記切替信号を出力する電源切替部と
を備えたことを特徴とする請求項２乃至５のいずれか１項に記載の風力発電用マトリクスコンバータ装置。
【請求項１１】
前記制御部は、
前記電力系統の電圧波形を所定周期分記憶する系統電圧波形記憶部を備え、
前記発電機から前記電力系統への電力変換を前記マトリクスコンバータに行わせている途中で、前記電力系統の停電が検出された場合、前記系統電圧波形記憶部に記憶された電圧波形に基づいて前記マトリクスコンバータを制御して、前記発電機から前記電力系統への電力変換を継続させる請求項２乃至５のいずれか１項に記載の風力発電用マトリクスコンバータ装置。
【請求項１２】
前記制御部は、
前記発電機を電動機として使用して前記風車の回転位置を制御するように前記マトリクスコンバータを制御することを特徴とする請求項２乃至５のいずれか１項に記載の風力発電用マトリクスコンバータ装置。
【請求項１３】
前記制御部は、
前記風車の回転位置を保持させるように、前記マトリクスコンバータが有する複数のスイッチのオンオフを制御することを特徴とする請求項１２に記載の風力発電用マトリクスコンバータ装置。
【請求項１４】
風力によって回転する風車の回転力により発電機で発電された電力を、フルコンバートして電力系統に供給するマトリクスコンバータと、
前記マトリクスコンバータを制御する制御部と
を備え、
前記制御部は、
前記電力系統の電圧または前記発電機の電圧から前記電力系統の電圧位相の情報または前記発電機の電圧位相の情報を生成する電圧位相生成部と、
前記電力系統側の力率を設定する力率設定部と、
前記力率設定部によって設定された力率に、前記電圧位相の情報を加算して、電流位相の情報を生成する力率制御部と、を備え、
前記制御部は、前記電流位相の情報に基づいて前記マトリクスコンバータを制御する制御信号を生成する
ことを特徴とする風力発電装置。
【請求項１５】
複数の風力発電装置を備えたウィンドファームであって、
前記風力発電装置は、
風力によって回転する風車の回転力により発電機で発電された電力を、フルコンバートして電力系統に供給するマトリクスコンバータと、前記マトリクスコンバータを制御する制御部とを備え、
前記制御部は、
前記電力系統の電圧または前記発電機の電圧から前記電力系統の電圧位相の情報または前記発電機の電圧位相の情報を生成する電圧位相生成部と、
前記電力系統側の力率を設定する力率設定部と、
前記力率設定部によって設定された力率に、前記電圧位相の情報を加算して、電流位相の情報を生成する力率制御部と、を備え、
前記制御部は、前記電流位相の情報に基づいて前記マトリクスコンバータを制御する制御信号を生成する
ことを特徴とするウィンドファーム。
【請求項１６】
請求項１４または１５に記載の風力発電装置における風車の製造方法であって、
位置検出器によって前記風力発電装置の風車の回転位置を検出し、
前記検出された前記風車の回転位置と指定された目標位置との差を検出し、
前記発電機を電動機として使用して、前記検出された前記風車の回転位置と前記目標位置との差に基づき、前記風車の回転位置を前記目標位置に一致させ、
回転位置を前記目標位置に一致させた前記風車にブレードを取り付ける
ことを特徴とする風車の製造方法。
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
風力によって回転する風車の回転力により発電機で発電された電力を、フルコンバートして電力系統に供給するマトリクスコンバータと、
前記マトリクスコンバータを制御する制御部と
を備え、
前記制御部は、
前記電力系統の電圧または前記発電機の電圧から前記電力系統の電圧位相の情報または前記発電機の電圧位相の情報を生成する電圧位相生成部と、
前記電力系統側の力率を設定する力率設定部と、
前記力率設定部によって設定された力率に、前記電圧位相の情報を加算して、電流位相の情報を生成する力率制御部と、を備え、
前記制御部は、前記電力系統のうち最小電圧相または最大電圧相と中間電圧相とによって形成される第１パルスと最小電圧相と最大電圧相とによって形成される第２パルスとによって形成され前記マトリクスコンバータを制御する制御信号を生成し、前記電流位相の情報に基づいて前記第１パルスと前記第２パルスとのパルス幅の比を調整する
ことを特徴とする風力発電用マトリクスコンバータ装置。
【請求項２】
前記制御部は、
前記電力系統が停電であるかどうかを検出する停電検出部と、
前記電力系統と前記マトリクスコンバータとの間に流れる電流の値および前記電力系統の電圧の値の２つの電力系統側の状態量、および、前記発電機と前記マトリクスコンバータとの間に流れる電流の値および前記発電機の電圧の値の２つの発電機側の状態量のうちの三つ以上の状態量を取得する状態量取得部と、
前記停電検出部による検出結果に基づき、前記状態量取得部で取得される三つ以上の状態量のうち前記電力系統側の状態量と前記発電機側の状態量との組み合わせを切り替える状態量切替部と、を備え、
前記制御部は、前記状態量切替部の出力に基づき前記マトリクスコンバータを制御する制御信号を生成する
ことを特徴とする請求項１に記載の風力発電用マトリクスコンバータ装置。
【請求項３】
前記状態量切替部は、前記停電検出部によって前記電力系統の停電が検出されない場合に前記電力系統の電圧の値を電圧検出値として前記電圧位相生成部へ出力し、前記停電検出部によって前記電力系統の停電が検出された場合に前記発電機の電圧の値を電圧検出値として前記電圧位相生成部へ出力し、
前記電圧位相生成部は、前記電圧検出値から前記電圧位相の情報を生成し、
前記力率制御部は、前記停電検出部によって前記電力系統の停電が検出された場合、前記力率設定部に設定された力率に代えて停電時力率を演算し、当該停電時力率を前記電圧位相の情報に加算して、前記電流位相の情報を生成する
ことを特徴とする請求項２に記載の風力発電用マトリクスコンバータ装置。
【請求項４】
前記状態量切替部は、前記停電検出部によって前記電力系統の停電が検出されない場合に前記発電機と前記マトリクスコンバータとの間に流れる電流の値を検出電流値として出力し、前記停電検出部によって前記電力系統の停電が検出された場合に前記電力系統と前記マトリクスコンバータとの間に流れる電流の値を検出電流値として出力し、
前記制御部は、前記状態量切替部から出力される前記検出電流値に基づいて前記マトリクスコンバータを制御する制御信号を生成する
ことを特徴とする請求項２に記載の風力発電用マトリクスコンバータ装置。 
【請求項５】
前記マトリクスコンバータは、
前記発電機の各相毎に直列接続されて複数設けられ、各々双方向の電力変換を行う単相マトリクスコンバータと、
複数の前記単相マトリクスコンバータから出力される電力を、各々絶縁しつつ結合させる結合部と、
を有し、
前記結合部は、
結合させた前記電力の電圧を、前記電力系統側に有する巻線により該電力系統の電圧へと昇圧させることを特徴とする請求項１乃至４のいずれか１項に記載の風力発電用マトリクスコンバータ装置。 
【請求項６】
前記マトリクスコンバータは、
マトリクスコンバータを複数並列に接続した並列多重電力変換器であることを特徴とする請求項１乃至４のいずれか１項に記載の風力発電用マトリクスコンバータ装置。
【請求項７】
前記単相マトリクスコンバータは、
サージ電圧を直流電圧へ変換して蓄積し、当該蓄積した直流電圧を放電するスナバ回路を備え、
前記制御部は、
前記発電機の回転速度または前記発電機の発電電圧に基づいて、前記スナバ回路に対して前記直流電圧の放電を指令する放電指令を出力する放電指令部を備えたことを特徴とする請求項５に記載の風力発電用マトリクスコンバータ装置。 
【請求項８】
蓄電池を有し、所定条件を満たす場合に前記蓄電池から前記制御部へ電力を供給する無停電電源を備え、
前記蓄電池は前記スナバ回路の直流電圧により充電されることを特徴とする請求項７に記載の風力発電用マトリクスコンバータ装置。
【請求項９】
無停電電源と、
前記無停電電源から出力される電圧と前記発電機から出力される電圧とを切替信号に応じて切り替えて前記制御部を動作させるための電圧として出力する切替器と、
前記発電機の発電電圧に基づいて、前記切替器へ前記切替信号を出力する電源切替部と
を備えたことを特徴とする請求項１乃至８のいずれか１項に記載の風力発電用マトリクスコンバータ装置。 
【請求項１０】
前記制御部は、
前記電力系統の電圧波形を所定周期分記憶する系統電圧波形記憶部を備え、
前記発電機から前記電力系統への電力変換を前記マトリクスコンバータに行わせている途中で、前記電力系統の停電が検出された場合、前記系統電圧波形記憶部に記憶された電圧波形に基づいて前記マトリクスコンバータを制御して、前記発電機から前記電力系統への電力変換を継続させる請求項１乃至９のいずれか１項に記載の風力発電用マトリクスコンバータ装置。 
【請求項１１】
前記制御部は、
前記発電機を電動機として使用して前記風車の回転位置を制御するように前記マトリクスコンバータを制御することを特徴とする請求項１乃至１０のいずれか１項に記載の風力発電用マトリクスコンバータ装置。 
【請求項１２】
前記制御部は、
前記風車の回転位置を保持させるように、前記マトリクスコンバータが有する複数のスイッチのオンオフを制御することを特徴とする請求項１１に記載の風力発電用マトリクスコンバータ装置。
【請求項１３】
風力によって回転する風車の回転力により発電機で発電された電力を、フルコンバートして電力系統に供給するマトリクスコンバータと、
前記マトリクスコンバータを制御する制御部と
を備え、
前記制御部は、
前記電力系統の電圧または前記発電機の電圧から前記電力系統の電圧位相の情報または前記発電機の電圧位相の情報を生成する電圧位相生成部と、
前記電力系統側の力率を設定する力率設定部と、
前記力率設定部によって設定された力率に、前記電圧位相の情報を加算して、電流位相の情報を生成する力率制御部と、を備え、
前記制御部は、前記電力系統のうち最小電圧相または最大電圧相と中間電圧相とによって形成される第１パルスと最小電圧相と最大電圧相とによって形成される第２パルスとによって形成され前記マトリクスコンバータを制御する制御信号を生成し、前記電流位相の情報に基づいて前記第１パルスと前記第２パルスとのパルス幅の比を調整する
ことを特徴とする風力発電装置。
【請求項１４】
複数の風力発電装置を備えたウィンドファームであって、
前記風力発電装置は、
風力によって回転する風車の回転力により発電機で発電された電力を、フルコンバートして電力系統に供給するマトリクスコンバータと、前記マトリクスコンバータを制御する制御部と
を備え、
前記制御部は、
前記電力系統の電圧または前記発電機の電圧から前記電力系統の電圧位相の情報または前記発電機の電圧位相の情報を生成する電圧位相生成部と、
前記電力系統側の力率を設定する力率設定部と、
前記力率設定部によって設定された力率に、前記電圧位相の情報を加算して、電流位相の情報を生成する力率制御部と、を備え、
前記制御部は、前記電力系統のうち最小電圧相または最大電圧相と中間電圧相とによって形成される第１パルスと最小電圧相と最大電圧相とによって形成される第２パルスとによって形成され前記マトリクスコンバータを制御する制御信号を生成し、前記電流位相の情報に基づいて前記第１パルスと前記第２パルスとのパルス幅の比を調整する
ことを特徴とするウィンドファーム。
【請求項１５】
請求項１３または１４に記載の風力発電装置における風車の製造方法であって、
位置検出器によって前記風力発電装置の風車の回転位置を検出し、
前記検出された前記風車の回転位置と指定された目標位置との差を検出し、
前記発電機を電動機として使用して、前記検出された前記風車の回転位置と前記目標位置との差に基づき、前記風車の回転位置を前記目標位置に一致させ、
回転位置を前記目標位置に一致させた前記風車にブレードを取り付ける
ことを特徴とする風車の製造方法。
【国際調査報告】
2012111416.tif 000020
2012111416.tif 000021
2012111416.tif 000022
2012111416.tif 000023
2012111416.tif 000024
2012111416.tif 000025
2012111416.tif 000026